(57)【要約】【課題】  ＩＣタグをより有効に活用することが可能な情報提示システムおよび素材データ登録システムを提供する。【解決手段】  素材データ登録システムにより、素材データとタグＩＤを対応付けて素材データ記憶手段１０に登録するとともに、ＩＣタグＴにタグＩＤを記録した後、このＩＣタグＴを写真等の表示物Ｈの裏面に貼着する。この表示物ＨをＩＣリーダ６０に近付けると、ＩＣリーダ６０がＩＣタグＴからタグＩＤを読み取り、素材データ抽出手段７０が、このタグＩＤを利用して素材データ記憶手段１０から対応する素材データを抽出し、提示手段８０に提示する。【選択図】  図１
2007334473.tif 000002
【特許請求の範囲】
【請求項１】
タグＩＤを記録したＩＣタグが付されるとともに、所定の内容をその表面に表示した表示物と、
前記表示物の表面に表示された内容と関連する素材データを、前記ＩＣタグに記録されたタグＩＤと対応付けて記録された素材データ記憶手段と、
前記表示物が接近した際に、前記表示物に付されたＩＣタグからタグＩＤを読み取るＩＣリーダと、
前記読み取ったタグＩＤに対応する素材データを前記素材データ記憶部から抽出する素材データ抽出手段と、
前記抽出した素材データを利用者に対して提示する提示手段と、
を有することを特徴とする情報提示システム。
【請求項２】
タイトルと複数の素材データを対応づける設定を行う素材データ選択手段と、
前記タイトルごとにタグＩＤを発生し、当該タグＩＤと前記選択された素材データを対応付けて素材データ記憶手段に登録するタグＩＤ登録手段と、
前記発生したタグＩＤをＩＣタグに記録するＩＣライターと、
を有することを特徴とする素材データ登録システム。
【発明の詳細な説明】
【技術分野】
【０００１】
本発明は、表面に所定の情報が表示された表示物を利用して、その表示物に対応する情報を提示するための技術に関する。
【背景技術】
【０００２】
近年、プラスチック等の基材にコイルパターンを形成し、このコイルと容量素子とにより共振回路を形成して一定周波数の電波を受信し送信することができるように構成された非接触ＩＣタグが急速に普及してきており、様々な用途に利用されている（特許文献１参照）。この非接触ＩＣタグには、各個体を特定するためのＩＤが記録されており、非接触データキャリアやＲＦ−ＩＤとも呼ばれる。
【特許文献１】特開２００５−１０８１８０号公報
【発明の開示】
【発明が解決しようとする課題】
【０００３】
しかしながら、従来の非接触ＩＣタグ（以下、単に「ＩＣタグ」という）の利用手法では、ＩＣタグを十分に有効活用できていないという問題がある。特に、近年小型化して、様々な媒体に添付することができるＩＣタグの活用が十分なものとはなっていない。
【０００４】
そこで、本発明は、ＩＣタグをより有効に活用することが可能な情報提示システムおよび素材データ登録システムを提供することを課題とする。
【課題を解決するための手段】
【０００５】
上記課題を解決するため、本発明では、タグＩＤを記録したＩＣタグが付されるとともに所定の内容をその表面に表示した表示物と、前記表示物の表面に表示された内容と関連する素材データを前記ＩＣタグに記録されたタグＩＤと対応付けて記録された素材データ記憶手段と、前記表示物が接近した際に、前記表示物に付されたＩＣタグからタグＩＤを読み取るＩＣリーダと、前記読み取ったタグＩＤに対応する素材データを前記素材データ記憶部から抽出する素材データ抽出手段と、前記抽出した素材データを利用者に対して提示する提示手段を有する情報提示システムを提供する。
【発明の効果】
【０００６】
本発明によれば、表示物に付されたＩＣタグのタグＩＤと、その表示物の内容と関連する素材データを対応付けて登録しておくようにしたので、表示物をＩＣリーダに近付けることにより、その表示物の内容と関連する素材データを提示することとなり、ＩＣタグを十分に有効活用することが可能となるという効果を奏する。
【発明を実施するための最良の形態】
【０００７】
以下、本発明の好適な実施形態について、図面を参照して詳細に説明する。
（システム構成）
まず、本発明に係る素材データ登録システムおよび情報提示システムのシステム構成について説明する。図１は、本発明に係る素材データ登録システム、情報提示システムの構成を示す機能ブロック図である。本発明に係る素材データ登録システム、情報提示システムは、汎用のコンピュータに専用のプログラムを搭載し、このコンピュータにＵＳＢポートを介してＩＣリーダ、ＩＣライターを接続することにより実現される。現実には、素材データ登録システム、情報提示システムとしてコンピュータを機能させるプログラムを、パッケージソフトウェアとしてパソコンにインストールすることにより、２つのシステムが図１に示すような構成で実現されることになる。
【０００８】
図１において、２０はＩＣライター、３０はタグＩＤ登録手段、４０は素材データ選択手段、５０は表示手段、１０は素材データ記憶手段、６０はＩＣリーダ、７０は素材データ抽出手段、８０は提示手段、Ｈは表示物、ＴはＩＣタグである。図１に示す構成のうち、素材データ記憶手段１０、ＩＣライター２０、タグＩＤ登録手段３０、素材データ選択手段４０、表示手段５０により素材データ登録システムを構成し、素材データ記憶手段１０、ＩＣリーダ６０、素材データ抽出手段７０、提示手段８０により情報提示システムを構成する。
【０００９】
（素材データ登録システム）
まず、素材データ登録システムについて説明する。素材データ記憶手段１０は、素材データを記録した記憶手段であり、現実にはコンピュータに内蔵されたハードディスク等の記憶装置により実現される。素材データ記憶手段１０には、デジタルカメラで撮影した静止画、ビデオカメラで撮影した動画等を素材データとして記憶させることができる。タグＩＤ登録手段３０は、素材データ記憶手段１０から素材データを抽出し、サムネイル画像を生成して、表示手段５０に表示させる機能を有するとともに、素材データ選択手段４０による選択指示に基づき選択された素材データとタグＩＤを対応付けて素材データ記憶手段１０に登録する機能を有している。また、タグＩＤを発生してＩＣライター２０に送信する機能も有している。ＩＣライター２０は、タグＩＤ登録手段３０から受信したタグＩＤを、セットされたＩＣタグに書き込む機能を有している。素材データ選択手段４０は、あるタイトルに対応付ける素材データを選択する機能を有しており、キーボードやマウス等の指示入力機器により実現される。表示手段５０は、液晶ディスプレイ等のコンピュータに付属の表示機器により実現される。
【００１０】
続いて、本発明に係る素材データ登録システムの処理動作について説明する。素材データ登録システムでは、情報提示システムを利用するために、表示物に付すＩＣタグのＩＤと素材データの対応付けを行う。
【００１１】
コンピュータにおいて専用のアプリケーションソフトウェアを実行させると、図２に示すようなメインメニューが表示手段５０に表示される。メインメニューにおいては、図２に示すように、“素材登録”“ＩＣタグ発行” “スライド表示” “設定”の４つのボタンが用意されている。このうち、“素材登録”“ＩＣタグ発行”が素材データ登録システムとしての役割を果たすものである。
【００１２】
メインメニューにおいて、素材登録を選択すると、図３に示すような素材登録画面が表示される。図３に示すように、素材登録画面には、コンボボックスと複数（図の例では２４個）のサムネイルボックスが表示される。この素材登録画面には、コンボボックスで選択されたタイトル（図の例では「春の遠足」）に対応する素材データがサムネイル画像として表示されることになる。
【００１３】
素材データを新規に登録する場合は、素材登録画面下部に用意されている４つのボタンのうち、“素材の新規追加”ボタンを選択する。すると、図４に示すような素材新規登録／修正画面が表示される。この画面で、ファイル／ＵＲＬ入力欄に、ファイル名を入力すると、そのファイルに記録された素材データが表示される。また、ファイル／ＵＲＬ入力欄に、ＵＲＬを入力すると、そのＵＲＬで特定されるページ画面が表示される。ファイル／ＵＲＬ入力欄に、ファイル名またはＵＲＬが入力された状態で、登録ボタンを選択することにより、そのファイル名またはＵＲＬで特定される素材データが、図２に示したタイトルと対応付けて登録される。この画面における処理は、素材データ選択手段４０により行われる。なお、素材データとしてＵＲＬで特定されるインターネット上のデータを用いる場合には、図１に示すシステムを構成するコンピュータがインターネットに接続されていることが必要となる。
【００１４】
図２に示したメインメニューにおいて、“ＩＣタグ発行”を選択すると、図５に示すようなＩＣタグ発行画面が表示される。図５に示すように、ＩＣタグ発行画面には、タイトル入力欄と複数（図の例では１２個）のサムネイルボックスが表示される。この素材登録画面には、コンボボックスで選択されたタイトルに対応する素材データがサムネイル画像として表示されることになる。この画面で、“タグ発行”ボタンを選択すると、タグＩＤ登録手段３０は、過去に発生させたタグＩＤと重複しない新規なタグＩＤを発生させ、そのタグＩＤを、ＩＣライター２０にセットされたＩＣタグＴに記録するとともに、発生させた新たなタグＩＤを、タイトルと対応付ける処理を行う。これにより、図３に示した素材登録画面を利用して、タイトルと対応付けられた素材データは、タグＩＤと対応付けられることになる。
【００１５】
（表示物）
続いて、表示物について説明しておく。表示物Ｈは、表面に所定の情報を表示した媒体であり、紙やフィルム等の表面に印刷したり、凹凸を形成することにより、作成されるものである。表示物Ｈとしては、例えば、写真等を用いることができる。この表示物Ｈの裏面には、タグＩＤを記録したＩＣタグＴが貼付されている。
【００１６】
（情報提示システム）
次に、情報提示システムについて説明する。素材データ記憶手段１０は、素材データ登録システムにおいて説明したものと同一であり、素材データをタグＩＤと対応付けて記録した記憶手段である。この素材データとタグＩＤの対応付けは、上述のように、素材データ登録システムにより行われる。ＩＣリーダ６０は、ＩＣタグＴから非接触方式でタグＩＤを読み取る機能を有しており、汎用のＩＣリーダで実現される。
【００１７】
素材データ抽出手段７０は、ＩＣリーダ６０から受け取ったタグＩＤを用いて、素材データ記憶手段１０を検索し、対応する素材データを抽出し、提示手段８０に渡す機能を有している。提示手段８０は、素材データ抽出手段７０から受け取った素材データを利用者に対して提示する機能を有している。提示手段８０としては、素材データが静止画や動画である場合には、表示手段５０と同様、液晶ディスプレイ等を用いることができる。素材データとしては、音声データを採用することもできるが、この場合は、提示手段８０としてスピーカを用いることができる。
【００１８】
次に、情報提示システムの処理動作について具体的な利用例に従って説明する。本システムは、特に教育等の分野において用いる場合に利点を有する。例えば、学校において、壁新聞を作成し、この表面に、表示物Ｈを多数剥離可能に貼着しておく。この表示物Ｈの表面には、それぞれ所定の内容が表示されている。そして、この壁新聞を利用して、先生が生徒に説明をする場合を考えてみる。この場合、先生は、説明に必要な表示物Ｈを壁新聞から剥がし、ＩＣリーダ６０に近付ける。すると、表示物Ｈの裏面に貼付されたＩＣタグＴもＩＣリーダ６０に近付くので、ＩＣリーダ６０は、ＩＣタグＴに記録されたタグＩＤを読み取る。
【００１９】
ＩＣリーダ６０がＩＣタグＴからタグＩＤを取得すると、素材データ抽出手段７０は、そのタグＩＤで素材データ記憶手段１０を検索し、対応する素材データを抽出する。１つのタグＩＤについて多数の素材データが登録されている場合には、あらかじめ定められた規則に従って１つの素材データを抽出する。この規則としては、例えば、上記素材登録画面を利用して登録する際に、登録順に番号を付しておき、その番号の昇順に優先して抽出する等が考えられる。なお、素材データとしてＵＲＬで特定されるインターネット上のデータを用いる場合には、素材データ抽出手段７０は、素材データ記憶手段１０に記憶されたＵＲＬを取得して、インターネットにアクセスし、対応するサイトから素材データを抽出することになる。
【００２０】
素材データ抽出手段７０が抽出した素材データは、提示手段８０が提示する処理を行う。例えば、素材データが静止画、動画である場合は、ディスプレイに表示する処理を行い、素材データが音声である場合は、スピーカから出力する処理を行うことになる。なお、素材データとしてＵＲＬが設定されている場合は、対応するサイトにアクセスしてデータを取得し、取得したデータが静止画、動画である場合は、ディスプレイに表示する処理を行い、取得したデータが音声である場合は、スピーカから出力する処理を行うことになる。
【００２１】
提示手段８０により提示される素材データは、表示部Ｈの表面に表示された内容に関連するものであるので、先生は、説明したいと思う内容に関連する表示物Ｈを壁新聞から剥がす時点で素材データの内容がある程度把握できており、関連する素材データが表示されることにより、表示物Ｈを利用してスムーズな説明を行うことが可能となる。特に、表示物Ｈの表面に表された内容と、最初に抽出される素材データである静止画を同一のものにしておけば、紙媒体である写真から画像がコンピュータの画面に移動するようなイメージを与えられ、生徒達の目を惹きつけることができる。
【００２２】
以上、本発明の好適な実施形態について説明したが、本発明は上記実施形態に限定されず、種々の変形が可能である。例えば、上記実施形態では、ＩＣタグに単純にタグＩＤを書き込む機能を有するＩＣライター２０にセットしたＩＣタグＴにタグＩＤを書き込むようにし、このＩＣタグＴを表示物Ｈの裏面に貼付するようにしたが、ＩＣタグにタグＩＤを書き込むとともに、これと一体化したシールを作成するＩＣタグ付シール作成装置を、ＩＣライター２０の代わりに用いて、これを表示物Ｈとして用いるようにしても良い。
【００２３】
また、上記実施形態では、情報提示システムを、教育分野において用いる場合を例にとって説明したが、これ以外でも、紙等の実媒体と、データを融合して用いる様々な状況において利用することができる。例えば、プレゼンテーションを行う場合等において有効である。
【図面の簡単な説明】
【００２４】
【図１】本発明に係る素材データ登録システム、情報提示システムの構成を示す機能ブロック図である。
【図２】メインメニューを示す図である。
【図３】素材登録画面を示す図である。
【図４】素材新規登録／修正画面を示す図である。
【図５】ＩＣタグ発行画面を示す図である。
【符号の説明】
【００２５】
１０・・・素材データ記憶手段
２０・・・ＩＣライター
３０・・・タグＩＤ登録手段
４０・・・素材データ選択手段
５０・・・表示手段
６０・・・ＩＣリーダ
７０・・・素材データ抽出手段
８０・・・提示手段
【図１】
2007334473.tif 000003
【図２】
2007334473.tif 000004
【図３】
2007334473.tif 000005
【図４】
2007334473.tif 000006
【図５】
2007334473.tif 000007